(57)【要約】【課題】本発明はキッチンパネルに関するもので、ゴキブリなどの不快害虫を寄せ付けない防虫性、また抗菌性、抗黴性を有するキッチンパネルを提供するものである。【解決手段】不快害虫忌避薬剤８を含んでなる塗料で、少なくとも一部を塗装したキッチンパネル２であり、これにより不快害虫忌避性を長期間有する衛生的で快適なキッチンパネル２となる。【選択図】　図１
2004049366.tif 000002
【特許請求の範囲】
【請求項１】
不快害虫忌避薬剤を含んでなる塗料で、少なくとも一部を塗装したキッチンパネル。
【請求項２】
不快害虫忌避薬剤を含んでなる基材で構造部材を構成したキッチンパネル。
【請求項３】
不快害虫忌避薬剤を含んでなる基材が、合成木材で構成された請求項２記載のキッチンパネル。
【請求項４】
不快害虫忌避薬剤がゴキブリ忌避剤である請求項１ないし３のいずれか１項記載のキッチンパネル。
【請求項５】
不快害虫忌避薬剤が経皮効果性である請求項１ないし３のいずれか１項記載のキッチンパネル。
【請求項６】
合成木材が樹脂成分と充填剤と抗菌剤とからなる請求項３記載のキッチンパネル。
【請求項７】
抗菌剤として無機系抗菌剤の少なくとも一種、および有機系抗菌剤の少なくとも一種からなる請求項６記載のキッチンパネル。
【請求項８】
充填剤として木粉などセルロース系破砕物、有機質繊維、無機質繊維、チップ状物質および珪酸カルシウムからなる群より選ばれる少なくとも一種からなる請求項６記載のキッチンパネル。
【請求項９】
樹脂成分が熱可塑性樹脂あるいは熱硬化性樹脂の少なくとも一種からなる請求項６記載のキッチンパネル。
【発明の詳細な説明】
【０００１】
【発明の属する技術分野】
本発明は、具体的にはゴキブリなどの害虫を寄せつけない防虫性あるいは抗菌性、抗黴性を有するキッチンパネルに関するものである。
【０００２】
【従来の技術】
従来ゴキブリをはじめとする不快害虫の駆除には、薬剤の散布が行われていた。また、合成木材は比較的安価でありながら軽量で強度も大きく加工性もよいことなどからエクステリア製品、ベランダ、サンルーム、窓枠、ドアや建造物の壁材、床材、電気・電子機器その他の筐体などに使用されている。最近では台所を中心とする水回り用製品、例えばキッチンパネルの部材としても使用されており、それらの使用状況によってはゴキブリをはじめとする不快害虫の侵入による被害を受けたり、カビ、細菌の増殖を招き、悪臭の発生源となることもある。このため、本来清潔であるべきキッチンパネルの清潔感を損ねる原因ともなっている。
【０００３】
【発明が解決しようとする課題】
近年、生活様式の多様化に伴い、国民の間に清潔意識なるものが若年層を中心に広まってきた。しかしながら、特に台所で使用されるキッチンパネルは、汚れがつきやすく、それらの汚れを餌に細菌やカビが増殖し、悪臭の発生源ともなり、外観的にも、衛生的にも問題があった。また、キッチンパネルはキャビネットのドアパネルとして使用されることも多く、キャビネット内の豊富な餌および水、適当な温度などの誘引要因によりドアパネルとの隙間を介して、キャビネット内にゴキブリをはじめとする不快害虫が誘引されやすいという課題があった。
【０００４】
【課題を解決するための手段】
本発明は、上記課題を解決するために、不快害虫忌避薬剤を含んだ塗料で少なくとも一部を塗装したキッチンパネルとしたものである。
【０００５】
上記発明によれば、不快害虫忌避薬剤を含んだ塗料でキッチンパネルを塗装することにより、ゴキブリをはじめとする不快害虫に対する忌避性を長期にわたり有する、清潔で快適なキッチンパネルを得ることができる。
【０００６】
【発明の実施の形態】
本発明の請求項１に記載の発明は、不快害虫忌避薬剤を含んでなる塗料で、少なくとも一部を塗装したキッチンパネルとしたものである。塗料に含まれる不快害虫忌避薬剤の作用により、ゴキブリをはじめとする不快害虫に対する忌避性を長期にわたり有する、清潔で快適なキッチンパネルとなる。
【０００７】
請求項２に記載の発明は、不快害虫忌避薬剤を含んでなる基材で構造部材を構成したキッチンパネルとしたものである。基材そのものに不快害虫忌避薬剤が含まれるため、ゴキブリをはじめとする不快害虫に対する忌避性を長期にわたり有する、清潔で快適なキッチンパネルとなる。
【０００８】
請求項３に記載の発明は、請求項２記載の発明において、不快害虫忌避薬剤を含んでなる基材を合成木材とすることにより、軽量で強度が大きく、加工性もよく、しかも水による腐食に強いキッチンパネルとなる。
【０００９】
請求項４に記載の発明は、請求項１から３のいずれか１項に記載の発明において、不快害虫忌避剤がゴキブリ忌避剤であるであることにより、代表的な不快害虫であるゴキブリを効果的に忌避するキッチンパネルとなる。
【００１０】
請求項５に記載の発明は、請求項１から３のいずれか１項に記載の発明において、不快害虫忌避剤が経皮効果性とすることにより、不快害虫忌避薬剤は室温では揮発性が少なく不快害虫忌避効果が長期間つづく快適なキッチンパネルとなる。
【００１１】
請求項６に記載の発明は、請求項３記載の発明において、合成木材が樹脂成分と充填剤と抗菌剤とから構成されることにより、細菌も黴も積極的に増殖させない衛生的なキッチンパネルとなる。
【００１２】
請求項７に記載の発明は、請求項６記載の発明において、抗菌剤として無機系抗菌剤の少なくとも一種、および有機系抗菌剤の少なくとも一種とすることにより、無機系抗菌剤の作用により主として細菌の増殖を抑制し、さらには細菌の増殖に起因する悪臭の発生も抑制する。また、有機系抗菌剤の作用により主として黴の増殖を抑制する。以上のように、黴、細菌さらには悪臭の発生を抑制し、ゴキブリなど不快害虫忌避性を有する衛生的で快適なキッチンパネルとなる。
【００１３】
請求項８に記載の発明は、請求項６記載の発明において、充填剤が木粉などセルロース系破砕物、有機質繊維、無機質繊維、チップ状物質および珪酸カルシウムからなる群より選ばれる少なくとも一種から構成されることにより、これらの充填剤により質感に優れ、軽量でしかも強度の大きい実用性に富んだ衛生的で快適なキッチンパネルとなる。
【００１４】
請求項９に記載の発明は、請求項６記載の発明において、樹脂成分が熱可塑性樹脂あるいは熱硬化性樹脂の少なくとも一種とすることにより、使用目的似合わせた質感、機械強度および熱的強度などを有した実用的なキッチンパネルとなる。
【００１５】
なお、本発明における不快害虫忌避薬剤としては、ピレスロイド系物質としてはエトフェンブロックス（１−（ｐエトキシフェニル）−２−メチルプロピル−３−フェノキシベンジルエーテル）、サイフェノスリン（（ＲＳ）−アルファ−シアノ−３−フェノキシベンジル（１Ｒ）−シス／トランス−クリサンテマート）、ペルメトリン（３−フェノキシベンジル−ｄｉ−シス／トランス−３（２，２−ジクロロビニル）−２，２−ジメチル−１−シクロプロパンカルボキシレート）、アレスリン（３−アリル−２−メチルシクロペンタ−２−エン−４−オン−１−イル　クリサンテマート）などが挙げられるが、これに限定するものではない。
【００１６】
有機リン系物質としては、ダイアジノン、トリクロホン、フェニトロチオン、フェニチオン、チメホス、ブロモホスなどが挙げられるが、これに限定するものではない。
【００１７】
本発明における樹脂成分としては、熱可塑性樹脂としてポリエチレン、ポリスチレン、ポリ塩化ビニル、ポリプロピレンなどが挙げられるが、これに限定するものではない。また、熱硬化製樹脂としてフェノール樹脂、尿素樹脂、メラミン樹脂、不飽和ポリエステル樹脂、エポキシ樹脂、ウレタン樹脂、熱硬化性アクリル樹脂などが挙げられるが、これに限定するものではない。
【００１８】
本発明における充填剤としては、天然木材または合成木材に代表される複合材料の加工時に発生する木粉等セルロース系破砕物状またはチップ状物質などが挙げられる。また、前記天然木材または複合材料などを利用した際に発生する端材や、これらの材料を使用後回収して得られる回収品を破砕または粉砕して得られる物質が挙げられる。また、有機質繊維、無機質繊維、珪酸カルシウムなども用いられ得る。
【００１９】
本発明における抗菌剤としては、無機系抗菌剤として、硝酸銀、硫酸銀、塩化銀など。銀、銅、、亜鉛、あるいは錫を担持したゼオライト、および銀、銅、亜鉛、あるいは錫を担持したシリカゲルなどが挙げられるが、これに限定するものではない。
【００２０】
有機系抗菌剤としては、１０，１０’−オキシビスフェノキサアルシンなどフェニルエーテル誘導体、シクロフルアニドなどＮ−ハロアルキルチオ系化合物、２−（４−チアゾリル）ベンズイミダゾール（ＴＢＺと略称）などイミダゾール誘導体、２，３，５，６テトラコロル−４−（メチルスルホリル）ピリジンなど第４級アンモニウム塩などが挙げられるが、これに限定するものではない。
【００２１】
【実施例】
（実施例１）
イソフタル酸系不飽和ポリエステルとスチレンの混合物よりなる不飽和ポリエステル樹脂１００重量部と、硬化触媒（５０％過酸化ベンゾイル）２重量部と、硬化促進剤（ジメチルアニリン）０．０３重量部と、木粉１５０重量部と、サイフェノスリン（不快害虫忌避剤）１重量部をニーダにて十分に攪拌混合した。混合物を型に挿入し硬化させ、得られた合成木材成形体からキッチンパネルを作成した。
【００２２】
（実施例２）
イソフタル酸系不飽和ポリエステルとスチレンの混合物よりなる不飽和ポリエステル樹脂１００重量部と、硬化触媒（５０％過酸化ベンゾイル）２重量部と、硬化促進剤（ジメチルアニリン）０．０３重量部と、木粉１５０重量部と、サイフェノスリン０．１重量部をニーダにて十分に攪拌混合した。混合物を型に挿入し硬化させ、得られた合成木材成形体からキッチンパネルを作成した。
【００２３】
（実施例３）
イソフタル酸系不飽和ポリエステルとスチレンの混合物よりなる不飽和ポリエステル樹脂１００重量部と、硬化触媒（５０％過酸化ベンゾイル）２重量部と、硬化促進剤（ジメチルアニリン）０．０３重量部と、木粉１５０重量部と、１−エチニル−２−メチル−２−ペンテニルクリサンテマート１重量部をニーダにて十分に攪拌混合した。混合物を型に挿入し硬化させ、得られた合成木材成形体からキッチンパネルを作成した。
【００２４】
（実施例４）
イソフタル酸系不飽和ポリエステルとスチレンの混合物よりなる不飽和ポリエステル樹脂１００重量部と、硬化触媒（５０％過酸化ベンゾイル）２重量部と、硬化促進剤（ジメチルアニリン）０．０３重量部と、木粉１５０重量部と、サイフェノスリン１重量部と、銀ゼオライト２重量部とＴＢＺ２重量部をニーダにて十分に攪拌混合した。混合物を型に挿入し硬化させ、得られた合成木材成形体からキッチンパネルを作成した。
【００２５】
図１は本発明に係るシステムキッチンを示すものである。図２は本発明の一実施例におけるキッチンパネルの説明図である。
【００２６】
１はシステムキッチンである。２はキッチンパネルである。３はフードである。４は流し台である。５は調理台である。６はガス台である。７は木粉に代表される充填剤である。８はサイフェノスリンに代表される不快害虫忌避薬剤である。９は銀ゼオライトに代表される無機系抗菌剤である。１０はＴＢＺに代表される有機系抗菌剤である。７、８、９および１０は不飽和ポリエステル樹脂に代表される樹脂成分１１中に分散または溶解している。
【００２７】
（実施例５）
イソフタル酸系不飽和ポリエステルとスチレンの混合物よりなる不飽和ポリエステル樹脂１００重量部と、硬化触媒（５０％過酸化ベンゾイル）２重量部と、硬化促進剤（ジメチルアニリン）０．０３重量部と、木粉１５０重量部をニーダにて十分攪拌混合した。混合物を型に挿入し硬化させ、得られた合成木材成形体の表面をサイフェノスリン１重量部を添加したアクリル樹脂で被服塗装した後、キッチンパネルを作成した。
【００２８】
（比較例）
イソフタル酸系不飽和ポリエステルとスチレンの混合物よりなる不飽和ポリエステル樹脂１００重量部と、硬化触媒（５０％過酸化ベンゾイル）２重量部と、硬化促進剤（ジメチルアニリン）０．０３重量部と、木粉１５０重量部をニーダにて十分攪拌混合した。混合物を型に挿入し硬化させ、キッチンパネルを作成した。
【００２９】
各実施例および比較例で得たそれぞれのキッチンパネルのゴキブリに対する忌避性能を評価した。前記キッチンパネルから２００ｍｍ×２００ｍｍの平板試料を切り出し、試料の上に餌と水を設置し、クロゴキブリ成虫３０頭のいる部屋にそれぞれ放置し、４８時間後餌の元の重さに対する残存率を調べた。その結果を（表１）に示す。
【００３０】
【表１】
2004049366.tif 000003
【００３１】
次に、各実施例および比較例で得たキッチンパネルのゴキブリに対する忌避性能の持続性を評価した。キッチンパネルの初期のゴキブリ忌避性能を評価確認した後、これらのキッチンパネルから切り出した２００ｍｍ×２００ｍｍの平板試料を４５℃の雰囲気中に２ヶ月間放置した。その後、試料の上に餌と水を設置し、クロゴキブリ成虫３０頭のいる部屋にそれぞれ放置し、４８時間後餌の元の重さに対する残存率を調べた。その結果を（表２）に示す。
【００３２】
【表２】
2004049366.tif 000004
【００３３】
次に、各実施例および比較例で得たそれぞれのキッチンパネルの抗菌性能およびカビ抵抗性について試験を行った。前記キッチンパネルから５０ｍｍ×５０ｍｍの試料を切り出し、それぞれに菌液（黄色ブドウ球菌および大腸菌）１ｃｃを滴下し、３７℃で２４時間培養した。その後、滅菌済みリン酸緩衝液にて菌を洗い出した。この洗い出した液中の生菌数を、菌数測定用培地を用いて混釈平板法にて測定した。その結果を（表３）に示す。
【００３４】
【表３】
2004049366.tif 000005
【００３５】
寒天培地上においた各試料（５０ｍｍ×５０ｍｍ）にアスペルギルス・ニガー菌液を噴霧し、２５℃で７日間培養した。その結果を（表４）に示す。
【００３６】
【表４】
2004049366.tif 000006
【００３７】
（表１）から明らかなように、実施例１，３，４、５のキッチンパネルは比較例に比べゴキブリ忌避性能が著しく良好である。
【００３８】
（表２）から明らかなように、実施例１，４、５のキッチンパネルはゴキブリ忌避性能の持続性がきわめて良好である。
【００３９】
（表３）から明らかなように、実施例４のキッチンパネルは比較例に比べ黄色ブドウ球菌および大腸菌に対する著しい抗菌効果を得ることができた。
【００４０】
（表４）から明らかなように、実施例４のキッチンパネルは比較例に比べて良好な抗カビ性能を得ることができた。
【００４１】
【発明の効果】
以上説明したように本発明のキッチンパネルによれば、次の効果が得られる。
【００４２】
請求項１に記載の発明によれば、不快害虫忌避薬剤を含む塗料で、キッチンパネルの少なくとも一部を塗装することにより、塗料に含まれる不快害虫忌避薬剤の作用により、ゴキブリをはじめとする不快害虫に対する忌避性を長期にわたり有する、清潔で快適なキッチンパネルとなる。
【００４３】
また、請求項２に記載の発明によれば、不快害虫忌避薬剤を含む基材で構造部材を構成したキッチンパネルとすることにより、不快害虫忌避薬剤が基材そのものに含まれるため、ゴキブリをはじめとする不快害虫に対する忌避性を長期にわたり有する、キッチンパネルを得ることができる。
【００４４】
また、請求項３に記載の発明によれば、不快害虫忌避薬剤を含んでなる基材を合成木材とすることにより、軽量で強度が大きく、加工性もよく、しかも水による腐食に強いキッチンパネルを得ることができる。
【００４５】
また、請求項４に記載の発明によれば、不快害虫忌避薬剤がゴキブリ忌避剤とすることにより、キッチン空間における代表的な不快害虫であるゴキブリを効果的に忌避するキッチンパネルを得ることができる。
【００４６】
また、請求項５に記載の発明によれば、不快害虫忌避薬剤が経皮効果性とすることにより、不快害虫忌避薬剤は室温では揮発性が少なく、不快害虫忌避効果が長期間つづく、快適なキッチンパネルを得ることができる。
【００４７】
また、請求項６に記載の発明によれば、合成木材が樹脂成分と充填剤と抗菌剤とから構成されることにより、細菌も黴も積極的に増殖させない衛生的なキッチンパネルを得ることができる。
【００４８】
また、請求項７に記載の発明によれば、抗菌剤として無機系抗菌剤の少なくとも一種、および有機系抗菌剤の少なくとも一種とすることにより、無機系抗菌剤の作用により主として細菌の増殖を抑制し、さらには細菌の増殖に起因する悪臭の発生も抑制する。また、有機系抗菌剤の作用により主として黴の増殖を抑制する。以上のように、黴、細菌さらには悪臭の発生を抑制し、ゴキブリなど不快害虫忌避性を有する衛生的で快適なキッチンパネルを得ることができる。
【００４９】
また、請求項８に記載の発明によれば、充填剤が木粉などセルロース系破砕物、有機質繊維、無機質繊維、チップ状物質および珪酸カルシウムからなる群より選ばれる少なくとも一種から構成されることにより、これらの充填剤により質感に優れ、軽量でしかも強度の大きい実用性に富んだ衛生的で快適なキッチンパネルを得ることができる。
【００５０】
また、請求項９に記載の発明によれば、樹脂成分が熱可塑性樹脂あるいは熱硬化性樹脂の少なくとも一種とすることにより、使用目的にあわせた質感、機械強度および熱的強度などを有した実用的なキッチンパネルを得ることができる。
【図面の簡単な説明】
【図１】本発明に係るシステムキッチンの斜視図
【図２】本発明の実施例におけるキッチンパネルの説明図
【符号の説明】
２　キッチンパネル
７　充填剤
８　不快害虫忌避薬剤
９　無機系抗菌剤
１０有機系抗菌剤
１１樹脂成分
【図１】
2004049366.tif 000007
【図２】
2004049366.tif 000008